(57)【要約】  【課題】  光漏れ防止機能を有しながらも、釦の安定性を向上させることができる照明付き釦構造を備えた電子装置を提供する。  【解決手段】  操作パネル１２は、釦保持ベース部材であり、釦収容部１４を有している。釦１６は、釦収容部１４に釦押し方向に移動可能に収容される。釦ホルダ１８は、操作パネル１２の裏側から釦１６と組み付けられ、釦１６と共に操作パネル１２を挟み込み、これにより光漏れが防止される。また、操作パネル１２と釦ホルダ１６とが釦収容部１４からずれた位置に摺動部５２を備えており、これにより、摺動構造が光り漏れ防止構造と独立し、摺動距離を長くできる。【選択図】  図１
2005302670.tif 000002
【特許請求の範囲】
【請求項１】
釦収容部を有する釦保持ベース部材と、
前記釦収容部に釦押し方向に移動可能に収容される釦と、
前記釦保持ベースの裏側から前記釦と組み付けられ、前記釦と共に前記釦保持ベースを挟み込む釦ホルダと、
を備え、前記釦保持ベース部と前記釦ホルダとが前記釦収容部からずれた位置に摺動部を備えたことを特徴とする電子装置。
【請求項２】
前記釦ホルダは、前記釦と嵌め合わされる内側筒部と、前記内側筒部より外側に隔離された外側筒部とを有し、前記外側筒部が前記釦保持ベース部と摺動することを特徴とする請求項１に記載の電子装置。
【発明の詳細な説明】
【技術分野】
【０００１】
本発明は、照明機能付き押し釦構造を備えた電子装置に関するものである。
【背景技術】
【０００２】
従来、図２に示されるような照明機能付きの押し釦を備えた電子装置が知られている。図２の電子装置１００において、操作パネル１０２は、釦保持ベース部材であり、筒状の釦収容部１０４を備えている。釦収容部１０４には、照明光を透過させる樹脂材で構成される釦１０６が挿入されている。
【０００３】
また、操作パネル１０２の後側にはプリント基板１０８が配置されており、プリント基板１０８には、スイッチ１１０および発光ダイオード光源１１２が搭載されている。スイッチ１１０および発光ダイオード光源１１２は、釦１０６と対応する場所に設けられている。
【０００４】
図２に示すように、釦収容部１０４の内周面と釦１０６の外周面は、摺動部１１４を構成している。そして、摺動部１１４の前側には光漏れ防止部１１６が設けられている。ここで、前側は、操作パネル１０２の表面に近い側である。
【０００５】
光漏れ防止部１１６では、釦収容部１０４が段差１１８を備えており、これにより、釦収容部１０４は前側の方で拡大している。釦１０６も、釦収容部１０４の段差１１８に対応する段差１２０を備えており、これにより頭部が拡大している。そして、このような段差構造によって光漏れが防止されている。また、釦１０６の段差１２０と釦収容部１０４の段差１１８の間には、釦ストロークに相当する隙間が設けられている。
【０００６】
図２の電子装置１００においては、発光ダイオード光源１１２が点灯され、光が釦１０６を透過し、これにより釦１０６が光る。光の漏れは、光漏れ防止部１１６によって防止される。また、釦１０６が押されると、摺動部１１４にて釦収容部１０４と釦１０６が摺動する。
【０００７】
以上に説明したように、図２の従来構造では、釦収容部１０４に釦摺動構造と光漏れ防止構造の両方が並んで配置されている。
【０００８】
また、照明機能付き釦の光漏れ構造は例えば特許文献１、２に示されており、これら文献では、シーソー釦の光漏れが、釦外周のフランジを用いて防止されている。
【特許文献１】特開２０００−３４００７１号公報（第３−４ページ、図１）
【特許文献２】特開２００１−３０７５９５号公報（第４−５ページ、図１）
【発明の開示】
【発明が解決しようとする課題】
【０００９】
しかしながら、従来の電子装置においては、摺動構造と光漏れ防止構造が釦収容部に並んで配置されているので、摺動構造のスペースを犠牲にして光漏れ防止構造を確保する必要がある。図２に示すように、光漏れ防止構造が釦ストローク分のスペースを必要としており、その分だけ摺動距離が短くなり、そのために釦のがたつきを抑える能力が低くなるという問題があった。
【００１０】
本発明は上記課題を解決するためになされたものであり、その目的は、光漏れ防止機能を有しながらも、摺動距離を確保し、がたつきを押えられる電子装置を提供することにある。
【課題を解決するための手段】
【００１１】
本発明の電子装置は、釦収容部を有する釦保持ベース部材と、前記釦収容部に釦押し方向に移動可能に収容される釦と、前記釦保持ベースの裏側から前記釦と組み付けられ、前記釦と共に前記釦保持ベースを挟み込む釦ホルダとを備え、前記釦保持ベース部と前記釦ホルダとが前記釦収容部からずれた位置に摺動部を備えた構成を有している。
【００１２】
この構成により、釦と釦ホルダで釦保持ベース部材を挟み込むことで、光漏れ防止機能が確保される。また、釦保持ベース部と前記釦ホルダとが釦収容部からずれた位置にて摺動部を構成しており、これにより、光漏れ構造と摺動構造とが独立し、摺動距離を長くとれる。このようにして、光漏れ防止機能を有しながらも、摺動距離を確保し、がたつきを押えることができる。
【００１３】
また、本発明の電子装置は、前記釦ホルダが、前記釦と嵌め合わされる内側筒部と、前記内側筒部より外側に隔離された外側筒部とを有し、前記外側筒部が前記釦保持ベース部と摺動する構成を有している。
【００１４】
この構成により、釦ホルダの外側筒部を使って摺動距離を確保でき、がたつきを効果的に抑えられる。
【発明の効果】
【００１５】
以上のように本発明は、釦ホルダを釦に組み付ける好適な構成によって、光漏れ防止機能を有しながらも、釦の安定性を向上できるという効果を有する電子装置を提供することができるものである。
【発明を実施するための最良の形態】
【００１６】
以下、本発明の実施の形態の電子装置について、図面を用いて説明する。本実施の形態の電子装置は、釦装置に特徴を有しており、以下では主として釦装置について説明する。電子装置は例えばカーオーディオ装置である。
【００１７】
本発明の実施の形態の電子装置を図１に示す。図１の電子装置１０において、操作パネル１２は、樹脂製であり、釦保持ベース部材に相当する。以下、操作パネル１２の表面側を前側、その反対側（電子装置１０の内部側）を後側または裏側という。
【００１８】
操作パネル１２は、後方に突出する筒状の釦収容部１４を有しており、釦収容部１４には釦１６が収容されている。そして、釦１６には、操作パネル１２の裏側から釦ホルダ１８が組み付けられている。釦１６および釦ホルダ１８は、釦収容部１４内で釦押し方向に移動可能である。
【００１９】
また、操作パネル１２の後側には、プリント基板２０が配置されている。プリント基板２０は、図示されないが、電子装置の筐体に固定されている。操作パネル１２も筐体の一部であり、プリント基板２０は操作パネル１２に固定されてもよい。
【００２０】
プリント基板２０には、ゴム接点スイッチ２２および発光ダイオード光源２４が搭載されている。ゴム接点スイッチ２２は、釦ホルダ１８の後側の面と接している。また、発光ダイオード２４は、釦１６の後方に位置している。
【００２１】
釦１６は、光を透過する樹脂材で構成されている。釦１６は頭部３０と胴部３２を有している。頭部３０は、操作者により押される部分である。また、胴部３２は筒状であり、釦収容部１４に収容されている。
【００２２】
釦ホルダ１８は、内側筒部４０および外側筒部４２を備えており、内側筒部４０と外側筒部４２とが後方部分で連結部４４により連結されている。ここで、内側とは釦１６の中心に近い側をいう。
【００２３】
釦ホルダ１８の内側筒部４０は、釦１６の胴部３２の内側に圧入されており、これにより、釦ホルダ１８と釦１６が嵌め合わされ、組み付けられている。
【００２４】
また、釦ホルダ１８の内側筒部４０と外側筒部４２との間は隔離されている。これにより、釦１６と釦ホルダ１８の組立体は、内側筒部４０および釦１６の胴部３２と、外側筒部４２との間に溝を有している。そして、この溝部に操作パネル１２の釦収容部１４が嵌り込んでいる。釦収容部１４の先端は、内側に突出しており、フランジ部４６を形成している。フランジ部４６は、釦１６の胴部３２と釦ホルダ１８の内側筒部４０の段差と対向している。上記の構成により、操作パネル１２が釦１６と釦ホルダ１８に挟み込まれ、これにより釦１６と操作パネル１２の間から光漏れが防止される。
【００２５】
また、操作パネル１２は、釦ホルダ１８の外側筒部４２の外側に摺動筒部５０を備えている。摺動筒部５０は、操作パネル１２から後方に突出している。摺動筒部５０の内面が、外側筒部４２の外面と接している。摺動筒部５０と外側筒部４２によって摺動部５２が構成されている。
【００２６】
摺動部５２において、摺動筒部５０の先端は、プリント基板２０まで達している。このように、本実施の形態では、摺動部５２が光漏れ防止構造から独立しているので、摺動距離を長くできる。
【００２７】
また、釦ホルダ１８は樹脂製である。ただし、釦ホルダ１８の樹脂材料は、光を透過しなくてよい。釦ホルダ１８には、摺動性能の優れた材料が適用される。
【００２８】
次に、本実施の形態の電子装置１０の動作を説明する。電子装置１０においては、発光ダイオード光源２４が点灯される。発光ダイオード光源２４の光は、釦ホルダ１８の内側筒部４０および釦１６の胴部３２を通り、釦１６の頭部３０を照明し、これにより、釦１６が光って見える。
【００２９】
操作パネル１２の釦収容部２４は、釦１６と釦ホルダ１８によって挟まれている。したがって、釦１６と操作パネル１２の隙間からの光漏れは生じない。
【００３０】
釦１６の頭部３０が押されると、釦１６と釦ホルダ１８の組立体が後方に移動する。このとき、摺胴部５２で摺動が生じる。摺動部５２は、前述のように、釦ホルダ１８の外側筒部４２と操作パネル１２の摺動筒部５０で構成されている。摺動距離が長いので、釦１６および釦ホルダ１８のがたつきは効果的に抑えられる。
【００３１】
釦１６と釦ホルダ１８は上記のように一体となって移動する。そして、ゴム接点スイッチ２２は、釦ホルダ１８に押されて、プリント基板２０と接触し、これによりスイッチが閉じ、プリント基板２０に電流が流れる。
【００３２】
以上に説明したように、本発明の実施の形態に係る電子装置１０によれば、釦１６と釦ホルダ１８で釦保持ベース部材が挟み込まれ、これにより、釦１６と釦保持ベース部材との関係における光漏れ防止機能が確保される。また、釦保持ベース部と釦ホルダ１８とが釦収容部１４からずれた位置にて摺動部５２を構成しており、これにより、光漏れ構造と摺動構造とが個別に設けられ、そして、摺動距離を長くとれる。このようにして、光漏れ防止機能を有しながらも、摺動距離を確保し、がたつきを押えることができる。
【００３３】
また、本実施の形態の電子装置１０によれば、釦ホルダ１８が内側筒部４０と外側筒部４２で構成されており、外側筒部４２が釦保持ベース部と摺動するように構成されており、外側筒部を使って摺動距離を確保でき、がたつきを効果的に抑えられる。
【００３４】
なお、図１に示されないが、前方から見た釦１６の頭部形状は任意でよい。例えば、釦１６は四角形である。このとき、釦１６の胴部３２、釦ホルダ１８の内側筒部４０および操作パネル１２の釦収容部１４の形状も四角形でよい。また、釦１６は丸形または他の形状を有していてもよい。
【００３５】
また、本実施の形態において、ゴム接点スイッチ２２の形状は変更されてよく、任意の形状のゴム接点スイッチが設けられてよい。また、ゴム接点タイプでないスイッチが設けられてもよい。また、発光ダイオード光源１５も変更可能であり、任意の光源を利用可能である。さらに、光漏れ防止構造に関しても、光漏れを防止できる範囲で形状および構成が変更されてよい。
【００３６】
その他、本発明は上述の実施の形態に限定されず、当業者が本発明の範囲内で上述の実施の形態を変形可能なことはもちろんである。
【産業上の利用可能性】
【００３７】
以上のように、本発明にかかる電子装置は、光漏れ防止機能と摺動機能とを個別に構成する構造を設けることにより、光漏れ防止機能を有しながらも、釦の安定性を向上させる効果を有し、照明機能を有する操作釦を有する電子装置、例えばカーオーディオ等として有用である。
【図面の簡単な説明】
【００３８】
【図１】本発明の実施の形態における電子装置の断面図
【図２】従来の電子装置の断面図
【符号の説明】
【００３９】
１０  電子装置
１２  操作パネル
１４  釦収容部
１６  釦
１８  釦ホルダ
２０  プリント基板
２２  ゴム接点スイッチ
２４  発光ダイオード光源
３０  頭部
３２  胴部
４０  内側筒部
４２  外側筒部
４４  連結部
４６  フランジ部
５０  摺動筒部
５２  摺動部
【図１】
2005302670.tif 000003
【図２】
2005302670.tif 000004